(57)【要約】【課題】販売促進活動に利用可能な秤付き対面プリンタを提供する。【解決手段】秤付き対面プリンタは、秤と、店用プリンタと、客用プリンタと、制御部と、を備える。秤は、商品の重さを計量する計量部と、該計量部を挟む対の位置の一方に配され、店員向けの情報を表示するとともに店員による操作を受け付ける店用操作表示部と、前記対の位置の他方に配され、客向けの情報を表示するとともに客による操作を受け付ける客用操作表示部と、を備える。店用プリンタは、前記秤と別体であって、前記店用操作表示部と同じ側に発行口を有し印刷物を発行する。客用プリンタは、前記秤および前記店用プリンタと別体であって、前記客用操作表示部と同じ側に発行口を有し印刷物を発行する。制御部は、店員に向けた印刷物を前記店用プリンタに発行させ、客に向けた印刷物を前記客用プリンタに発行させる。【選択図】図１
2015152352.tif 000002
【特許請求の範囲】
【請求項１】
商品の重さを計量する計量部と、該計量部を挟む対の位置の一方に配され、店員向けの情報を表示するとともに店員による操作を受け付ける店用操作表示部と、前記対の位置の他方に配され、客向けの情報を表示するとともに客による操作を受け付ける客用操作表示部と、を備える秤と、
前記秤と別体であって、前記店用操作表示部と同じ側に発行口を有し印刷物を発行する店用プリンタと、
前記秤および前記店用プリンタと別体であって、前記客用操作表示部と同じ側に発行口を有し印刷物を発行する客用プリンタと、
店員に向けた印刷物を前記店用プリンタに発行させ、客に向けた印刷物を前記客用プリンタに発行させる制御部と、
を備える秤付き対面プリンタ。
【請求項２】
前記制御部は、前記店用操作表示部が受け付けた操作に基づく印刷物を前記店用プリンタに発行させ、前記客用操作表示部が受け付けた操作に基づく印刷物を前記客用プリンタに発行させる
ことを特徴とする請求項１に記載の秤付き対面プリンタ。
【請求項３】
前記制御部は、前記客用プリンタに、前記計量部で計量された商品に直接あるいは間接的に関連付けされたクーポン、広告、および商品一覧、の少なくともいずれかを発行させる
ことを特徴とする請求項１または２に記載の秤付き対面プリンタ。
【請求項４】
前記制御部は、前記店用操作表示部に前記計量部で計量された商品に関する所定の操作が行われた場合と、前記客用操作表示部に所定の操作が行われた場合と、の少なくともいずれかの場合に、前記客用プリンタに、前記クーポン、広告、または商品一覧を発行させる
ことを特徴とする請求項３に記載の秤付き対面プリンタ。
【請求項５】
前記制御部は、前記客用操作表示部への操作に基づいて、前記客用操作表示部に、商品の利用目的に応じた目安量を表示させる
ことを特徴とする請求項１〜４のいずれか１つに記載の秤付き対面プリンタ。
【請求項６】
前記制御部は、前記客用操作表示部への操作に基づいて、前記客用プリンタに、前記目安量および該目安量を表示させた商品に関する情報を表示した注文シートを印刷させる
ことを特徴とする請求項５に記載の秤付き対面プリンタ。
【発明の詳細な説明】
【技術分野】
【０００１】
本発明の実施形態は、秤付き対面プリンタに関する。
【背景技術】
【０００２】
秤付き対面プリンタは、従来、秤と一台のプリンタとからなっていたが、近頃は、秤に二台のプリンタを接続可能としたものがある。
【０００３】
また、従来、秤付き対面プリンタは、商品を計量し、その結果をラベルなどに印刷発行する用途以外には活用されていない。
【０００４】
プリンタの二台使用が可能となったことを利用して、秤付き対面プリンタの活用範囲を広げることによって、販売促進に寄与することが望まれている。
【発明の概要】
【発明が解決しようとする課題】
【０００５】
本発明が解決しようとする課題は、販売促進活動に利用可能な秤付き対面プリンタを提供することである。
【課題を解決するための手段】
【０００６】
実施形態の秤付き対面プリンタは、秤と、店用プリンタと、客用プリンタと、制御部と、を備える。秤は、商品の重さを計量する計量部と、該計量部を挟む対の位置の一方に配され、店員向けの情報を表示するとともに店員による操作を受け付ける店用操作表示部と、前記対の位置の他方に配され、客向けの情報を表示するとともに客による操作を受け付ける客用操作表示部と、を備える。店用プリンタは、前記秤と別体であって、前記店用操作表示部と同じ側に発行口を有し印刷物を発行する。客用プリンタは、前記秤および前記店用プリンタと別体であって、前記客用操作表示部と同じ側に発行口を有し印刷物を発行する。制御部は、店員に向けた印刷物を前記店用プリンタに発行させ、客に向けた印刷物を前記客用プリンタに発行させる。
【図面の簡単な説明】
【０００７】
【図１】図１は、実施形態の秤付き対面プリンタの外観を示す斜視図である。
【図２】図２は、実施形態の秤付き対面プリンタの機能構成を示すブロック図である。
【図３】図３は、実施形態の秤付き対面プリンタ、店舗端末、およびスキャナの接続関係を示す図である。
【図４】図４は、実施形態の分類テーブルの例を示す図である。
【図５】図５は、実施形態の調理例テーブルの例を示す図である。
【図６】図６は、実施形態の目安量テーブルの例を示す図である。
【図７】図７は、実施形態の関連商品テーブルの例を示す図である。
【図８】図８は、実施形態のクーポンテーブルの例を示す図である。
【図９】図９は、実施形態の広告テーブルの例を示す図である。
【図１０】図１０は、実施形態の目安量取得処理の流れを示す図である。
【図１１】図１１は、実施形態の販促画面の例を示す図である。
【図１２】図１２は、実施形態の材料選択画面の例を示す図である。
【図１３】図１３は、実施形態の調理例選択画面の例を示す図である。
【図１４】図１４は、実施形態の人数選択画面の例を示す図である。
【図１５】図１５は、実施形態の注文シート発行画面の例を示す図である。
【図１６】図１６は、実施形態の計量後処理の流れを示す図である。
【図１７】図１７は、実施形態の購入決定後に表示する画面の例を示す図である。
【発明を実施するための形態】
【０００８】
実施形態について図面を用いて説明する。図１は、秤付き対面プリンタ１の外観を示す斜視図である。図２は、秤付き対面プリンタ１の機能構成を示すブロック図である。図３は、秤付き対面プリンタ１、店舗端末２、およびスキャナ３の接続関係を示す図である。
【０００９】
秤付き対面プリンタ１は、秤１００と、店用プリンタ２００と、客用プリンタ３００と、を備えている。秤１００と店用プリンタ２００と客用プリンタ３００とは、それぞれ別体である。
【００１０】
秤１００は、計量部１１０、店用操作表示部１２０、客用操作表示部１３０、および制御部１４０を備えている。店用操作表示部１２０および客用操作表示部１３０は、計量部１１０を挟む対の位置のそれぞれに配されている。
【００１１】
計量部１１０は、商品の重さを計量する。計量部１１０は、筐体１１１や上皿１１２、ロードセル１１３などを備えている。筐体１１１は、ロードセル１１３や制御部１４０を収納している。上皿１１２は、筐体１１１の上方に位置し、ロードセル１１３に接続されていて、計量対象の物品が載置される。ロードセル１１３は、上皿１１２を介して計量対象の物品の荷重を受け、該荷重に応じた信号を制御部１４０に出力する。
【００１２】
店用操作表示部１２０は、店用操作部１２１および店用モニタ１２２を備えている。店用操作部１２１は、キーボード１２１ａとタッチパネル１２１ｂとを有している。店用モニタ１２２は、液晶パネルなどであって、店員向けの情報を表示する。タッチパネル１２１ｂは、店用モニタ１２２の表面に積層状態で配され、店用モニタ１２２の表示内容に応じた操作を店員から受け付ける。キーボード１２１ａは、テンキーなどを備え、店用モニタ１２２およびタッチパネル１２１ｂの隣に配され、店員による操作を受け付ける。
【００１３】
客用操作表示部１３０は、客用操作部１３１および客用モニタ１３２を備えている。客用操作部１３１は、キーボード１３１ａとタッチパネル１３１ｂとを有している。客用モニタ１３２は、液晶パネルなどであって、客向けの情報を表示する。タッチパネル１３１ｂは、客用モニタ１３２の表面に積層状態で配され、客用モニタ１３２の表示内容に応じた操作を客から受け付ける。キーボード１３１ａは、テンキーなどを備え、客用モニタ１３２およびタッチパネル１３１ｂの隣に配され、客による操作を受け付ける。
【００１４】
ここで、店用操作表示部１２０と客用操作表示部１３０とが計量部１１０を挟んで配されていることにより、秤１００は、対面する店員と客との両方から操作を受け付け可能である。店用操作表示部１２０および客用操作表示部１３０は、いずれも、上辺近傍にチルト機構（不図示）を備えている。このチルト機構は、各操作表示部１２０，１３０を、筐体１１１に対してフラップ状に回動可能にするとともに、任意の角度で停止可能にしている。これにより、店員や客は、店用操作表示部１２０や客用操作表示部１３０を、自身の使いやすい向きに向かせて用いることができる。
【００１５】
制御部１４０は、ＣＰＵ（Central  Processing  Unit）、ＲＯＭ（Read  Only  Memory）およびＲＡＭ（Random  Access  Memory）（いずれも不図示）等から構成される。ＲＯＭは、ＣＰＵが実行する各種プログラムや各種データを記憶する。ＲＡＭは、ＣＰＵが各種プログラムを実行する際に一時的にデータやプログラムを記憶する。ＣＰＵは、ＲＯＭから読み出したプログラムをＲＡＭに展開して実行することにより、秤付き対面プリンタ１が備える各部を統括制御する。
【００１６】
そして、制御部１４０は、ＲＯＭに記憶されたプログラムをＣＰＵが実行することにより、目安量取得部１４１、クーポン取得部１４２、および広告取得部１４３として機能する。
【００１７】
店舗端末２は、商品情報データベースＤ１と、関連情報データベースＤ２と、を備えている。商品情報データベースＤ１は、ＰＬＵ（Price  Look  Up）情報などを記憶している。関連情報データベースＤ２は、各商品の関連情報を記憶している。関連情報としては、例えば、図４〜図９に例示するものがある。
【００１８】
図４は、分類テーブルＴ１の例を示す図である。図５は、調理例テーブルＴ２の例を示す図である。図６は、目安量テーブルＴ３の例を示す図である。図７は、関連商品テーブルＴ４の例を示す図である。図８は、クーポンテーブルＴ５の例を示す図である。図９は、広告テーブルＴ６の例を示す図である。
【００１９】
ここで、上記各図の各テーブルＴ１〜Ｔ６は一例である。各図において、ＩＤ列を示していないが、必要に応じてそういったカラムを増してよいことは言うまでもない。また、他のカラムを増してもよいことも言うまでもない。例えば、図４の分類テーブルＴ１に、商品に固有の商品番号を入力するためのカラムを増すなどしてもよい。
【００２０】
また、本実施形態では、量り売りの精肉売り場で利用される秤付き対面プリンタ１を例に説明する。
【００２１】
店舗端末２は、秤付き対面プリンタ１と、ＬＡＮ（Local  Area  Network）などのネットワークＮでつながっていて、制御部１４０は、各データベースＤ１，Ｄ２が記憶する情報を参照可能である。
【００２２】
まず、図４の分類テーブルＴ１は、例えば、分類や品名のカラムを有する。分類は、取扱商品を同類のものでまとめていくつかの集まりに区分したものの名称（例えば「挽き肉」）である。品名は、商品の名称（例えば「合い挽き」）である。この分類テーブルＴ１には、１商品につき１レコード設定される。
【００２３】
次に、図５の調理例テーブルＴ２は、例えば、調理例、分類、および品名、のカラムを有する。調理例は、例えば「ハンバーグ」などである。調理例は、１つの商品に対して単一でなくてよい。１つの商品に対して複数の調理例が設定されてもよいし、また、１つの調理例に対して複数の商品が設定されてもよい。
【００２４】
図６の目安量テーブルＴ３は、例えば、品名、調理例、１人前あたり目安量、および選択肢最大値、のカラムを有する。１人前あたり目安量は、各調理例における１人前あたりの商品の目安量（例えば、重さ「８０（ｇ）」）である。選択肢最大値は、客が何人前の目安量を得ようとするかで選択する選択肢の最大値である。この値が例えば「４（人前）」であれば、制御部１４０は、客用モニタ１３２に、１〜４人前の選択肢を示す。
【００２５】
図７の関連商品テーブルＴ４は、例えば、調理例や関連商品のカラムを有する。関連商品は、調理例の材料として有り得る商品の品名であって、調理例に対して１または複数が設定される。
【００２６】
図８のクーポンテーブルＴ５は、例えば、関連商品と詳細のカラムを有する。詳細は、関連商品に設定があるクーポンの内容（例えば「３０円引き」や「５％引き」）である。
【００２７】
図９の広告テーブルＴ６は、例えば、関連商品と詳細のカラムを有する。詳細は、関連商品に設定がある広告の内容（例えば「１０％引き」や「２０円引き」）である。
【００２８】
店用プリンタ２００は、店用操作表示部１２０と同じ側に発行口２０１を有し、制御部１４０の制御に基づいて、印刷物を発行する。制御部１４０は、店用プリンタ２００に、店員に向けた印刷物を発行させる。また、制御部１４０は、店用操作表示部１２０が受け付けた操作に基づく印刷物を、店用プリンタ２００に発行させる。
【００２９】
客用プリンタ３００は、客用操作表示部１３０と同じ側に発行口３０１を有し、制御部１４０の制御に基づいて、印刷物を発行する。制御部１４０は、客用プリンタ３００に、客に向けた印刷物を発行させる。また、制御部１４０は、客用操作表示部１３０が受け付けた操作に基づく印刷物を、客用プリンタ３００に発行させる。
【００３０】
なお、二次元コードなどの符号を読み取り可能なスキャナ３が、秤付き対面プリンタ１においてネットワークＮ経由で利用可能となっている。
【００３１】
上述の構成の秤付き対面プリンタ１が行う処理について説明する。図１０は、目安量取得処理の流れを示す図である。本処理を実行中の制御部１４０は、まず、客用操作部１３１が、材料や調理例を決定する操作に基づく信号を出力するのを、待機する（ステップＳ１のＮｏ）。このステップＳ１において、制御部１４０は、客用モニタ１３２に、図１１〜図１４の画面Ｓｃ１〜Ｓｃ４を、表示させる。
【００３２】
まず、図１１は、販促画面Ｓｃ１の例を示す図である。制御部１４０は、秤付き対面プリンタ１が使用されていないとき、客用モニタ１３２に販促画面Ｓｃ１を表示させておく。販促画面Ｓｃ１は、例えば、調理例毎の商品の目安量の案内を申し出る内容であり、「調理例から選択」ボタンＢ１や「材料から選択」ボタンＢ２を有する。
【００３３】
上記販促画面Ｓｃ１の表示中に、客用操作部１３１が、例えば「材料から選択」ボタンＢ２への操作に基づく信号を出力すると、制御部１４０が、客用モニタ１３２に、材料選択画面Ｓｃ２を表示させる。図１２は、材料選択画面Ｓｃ２の例を示す図である。
【００３４】
制御部１４０は、分類テーブルＴ１を参照して、材料選択画面Ｓｃ２に示すための情報を取得し、材料選択画面Ｓｃ２を客用モニタ１３２に表示させる。材料選択画面Ｓｃ２は、材料の分類および品名を選択可能に表示し、例えば、分類をタブに、各分類に該当する品名をボタンに、表示する。
【００３５】
上記材料選択画面Ｓｃ１の表示中に、客用操作部１３１が、いずれかのボタン（例えば「合い挽き」ボタンＢ３）への操作に基づく信号を出力すると、制御部１４０が、客用モニタ１３２に、調理例選択画面Ｓｃ３を表示させる。図１３は、調理例選択画面Ｓｃ３の例を示す図である。
【００３６】
制御部１４０は、調理例テーブルＴ２を参照して、調理例選択画面Ｓｃ３に示すための情報を取得し、調理例選択画面Ｓｃ３を客用モニタ１３２に表示させる。調理例選択画面Ｓｃ３は、材料選択画面Ｓｃ２において選択された分類および品名に該当する調理例をボタンとして選択可能に表示する。
【００３７】
上記調理例選択画面Ｓｃ３の表示中に、客用操作部１３１が、いずれかのボタン（例えば「ハンバーグ」ボタンＢ４）への操作に基づく信号を出力すると、制御部１４０が、客用モニタ１３２に、人数選択画面Ｓｃ４を表示させる。
【００３８】
図１４は、人数選択画面Ｓｃ４の例を示す図である。図１５は、注文シート発行画面Ｓｃ５の例を示す図である。目安量取得部１４１は、目安量テーブルＴ３を参照して、人数選択画面Ｓｃ４および注文シート発行画面Ｓｃ５に示すための情報を取得する。そして、制御部１４０が、上記画面Ｓｃ４，Ｓｃ５を客用モニタ１３２に表示させる。
【００３９】
人数選択画面Ｓｃ４は、人数の選択肢を選択可能に表示する。該人数選択画面Ｓｃ４の表示中に、客用操作部１３１が、いずれかのボタン（例えば「４人前」ボタンＢ５）への操作に基づく信号を出力すると、制御部１４０は、処理をステップＳ１からステップＳ２へ進め（ステップＳ１のＹｅｓ）、客用モニタ１３２に、注文シート発行画面Ｓｃ５を表示させる（ステップＳ２）。
【００４０】
制御部１４０は、注文シート発行画面Ｓｃ５の表示にあたって、人数選択画面Ｓｃ４において選択された人数に合う目安量の算出を行う。すなわち、目安量テーブルＴ３から取得した「１人前あたり目安量」に、人数選択画面Ｓｃ４において選択された人数を乗ずる。
【００４１】
注文シート発行画面Ｓｃ５は、客が選択した材料、調理例、人数に合致する目安量を表示する。さらに、注文シート発行画面Ｓｃ５は、表示内容を印刷した注文シートの発行を選択する発行ボタンＢ６を、選択可能に表示する。
【００４２】
なお、上記各画面Ｓｃ２〜Ｓｃ５に、前の画面Ｓｃ１〜Ｓｃ４へ戻るためのボタンＢ７〜Ｂ１０をも、選択可能に表示してもよい。
【００４３】
上記注文シート発行画面Ｓｃ５の表示中に、客用操作部１３１が、発行ボタンＢ６への操作に基づく信号を出力すると（ステップＳ３のＹｅｓ）、制御部１４０が、客用プリンタ３００に、注文シートを印刷させ発行させる（ステップＳ４）。そして、制御部１４０は、客用モニタ１３２に表示させる画面を、販促場面Ｓｃ１に戻して（ステップＳ５）、当該処理を終了する。
【００４４】
注文シートには、注文シート発行画面Ｓｃ５の表示内容に、該内容を変換した二次元コードなどの符号を併載する。店員は、客から受け取った注文シートに載っている符号をスキャナ３で読み取ることにより、客の入力情報を再利用することができる。
【００４５】
ステップＳ３において、客が、発行ボタンＢ６を操作しない場合（ステップＳ３のＮｏ）、制御部１４０は、所定時間の経過（タイムアウト）を待機する（ステップＳ６のＮｏ）。所定時間が経過すると（ステップＳ６のＹｅｓ）、制御部１４０は、客用モニタ１３２に表示させる画面を、販促場面Ｓｃ１に戻し（ステップＳ５）、当該処理を終了する。
【００４６】
図１６は、計量後処理の流れを示す図である。本処理を実行中の制御部１４０は、まず、計量部１１０からの信号の出力を待機する（ステップＳ１１のＮｏ）。計量部１１０から出力があると（ステップＳ１１のＹｅｓ）、制御部１４０は、店用操作表示部１２０の出力に基づいて、商品情報データベースＤ１から商品情報を取得し（ステップＳ１２）、価格の算出などを行う。そして、制御部１４０は、店用モニタ１２２および客用モニタ１３２に、秤量および価格を表示させる（ステップＳ１３）。
【００４７】
ここで、客が、計量した商品を購入する意思を示すと、店員は、店用操作部１２１に、その旨（購入決定）を入力する。該入力操作に基づく信号を、店用操作部１２１が出力すると（ステップＳ１４のＹｅｓ）、制御部１４０は、店用プリンタ２００に、商品に貼付するためのラベル（不図示）あるいはレシートなど、を印刷させる（ステップＳ１５）。続いて制御部１４０は、客用モニタ１３２に、図１７の画面Ｓｃ６を、所定時間表示させる（ステップＳ１６）。図１７は、購入決定後に表示する画面Ｓｃ６の例を示す図である。
【００４８】
画面Ｓｃ６は、店員が、客から受け取った注文シートの符号をスキャナ３で読み取らせた後に、当該注文にかかる商品の計量を行った場合の例である。
【００４９】
クーポン取得部１４２は、関連商品テーブルＴ４やクーポンテーブルＴ５を参照して、図１５の画面Ｓｃ６に示すための情報を取得する。広告取得部１４３は、関連商品テーブルＴ４や広告テーブルＴ６を参照して、図１５の画面Ｓｃ６に示すための情報を取得する。
【００５０】
画面Ｓｃ６は、関連商品のクーポン情報や関連商品のセール情報を表示する。また、画面Ｓｃ６は、クーポンの発行を指示するボタンＢ１１や、セール中商品の一覧（商品一覧）を印刷するボタンＢ１２、表示をクリアする終了ボタンＢ１３、などを有する。画面Ｓｃ６の表示中に、客用操作部１３１が、ボタンＢ１１ないしＢ１２への操作に基づく信号を出力すると（ステップＳ１７のＹｅｓ）、制御部１４０が、客用プリンタ３００に、クーポンや商品一覧を印刷させ発行させる（ステップＳ１８）。そして、制御部１４０は、客用モニタ１３２に表示させる画面を販促場面Ｓｃ１に戻して（ステップＳ１９）、当該処理を終了する。
【００５１】
ステップＳ１４において、客が、計量した商品の購入をキャンセルすると、店員は、店用操作部１２１に、その旨（購入キャンセル）を入力する。該入力操作に基づく信号を、店用操作部１２１が出力すると（ステップＳ１４のＮｏ）、制御部１４０は、客用モニタ１３２に表示させる画面を販促場面Ｓｃ１に戻して（ステップＳ１９）、当該処理を終了する。
【００５２】
ステップＳ１７において、客が、ボタンＢ１１ないしＢ１２を操作しない場合（ステップＳ１７のＮｏ）、制御部１４０は、所定時間の経過（タイムアウト）を待機する（ステップＳ２０のＮｏ）。所定時間が経過すると（ステップＳ２０のＹｅｓ）、制御部１４０は、客用モニタ１３２に表示させる画面を販促場面Ｓｃ１に戻し（ステップＳ１９）、当該処理を終了する。
【００５３】
以上説明したとおり、本実施形態によれば、プリンタの二台使用が可能となったことを利用して、秤付き対面プリンタ１の活用範囲を広げ、販売促進に寄与することができる。
【００５４】
なお、画面Ｓｃ６などで、客がアンケートに回答した上でクーポンなどの発行が可能となるようにされていてもよい。これによれば、店側が適宜情報収集を行うことができ、且つ、販売促進の効果を得られる。
【００５５】
また、上記実施形態では、注文シートから情報を引き継いで計量および購入決定を経た画面Ｓｃ６を説明したが、実施にあたっては、当該画面Ｓｃ６において、注文シートの情報の引き継ぎなしに計量および購入決定された商品について、該商品の関連商品やその他商品の情報を提供するとともに、クーポンやセール中商品一覧などを発行可能としてもよい。その場合、関連商品テーブルＴ４が、上記実施形態のように関連商品を調理例に関連付けて記憶させたものではなく、関連商品を分類および品名の組み合わせに関連付けて記憶させたものであってもよい。
【００５６】
また、上記実施形態では、クーポン内容や広告内容は、調理例を介して間接的に、商品を示す分類および品名の組み合わせに関連付けられているが、実施にあたっては、これに限らない。例えば、クーポンテーブルＴ５（あるいは広告テーブルＴ６）が、分類および品名の組み合わせと、クーポン内容（あるいは広告内容）とを、直接関連付けたものであってもよい。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
１…秤付き対面プリンタ、
１００…秤、１１０…計量部、１１１…筐体、１１２…上皿、１１３…ロードセル、
１２０…店用操作表示部、１２１…店用操作部、１２２…店用モニタ、
１２１ａ…キーボード、１２１ｂ…タッチパネル、
１３０…客用操作表示部、１３１…客用操作部、１３２…客用モニタ、
１３１ａ…キーボード、１３１ｂ…タッチパネル、
１４０…制御部、
１４１…目安量取得部、１４２…クーポン取得部、１４３…広告取得部、
２００…店用プリンタ、２０１…発行口、
３００…客用プリンタ、３０１…発行口、
２…店舗端末、
３…スキャナ。
【先行技術文献】
【特許文献】
【００５９】
【特許文献１】特開２０１０−２８６９７６号公報
【特許文献２】特開平３−１３８１７１号公報
【図１】
2015152352.tif 000003
【図２】
2015152352.tif 000004
【図３】
2015152352.tif 000005
【図４】
2015152352.tif 000006
【図５】
2015152352.tif 000007
【図６】
2015152352.tif 000008
【図７】
2015152352.tif 000009
【図８】
2015152352.tif 000010
【図９】
2015152352.tif 000011
【図１０】
2015152352.tif 000012
【図１１】
2015152352.tif 000013
【図１２】
2015152352.tif 000014
【図１３】
2015152352.tif 000015
【図１４】
2015152352.tif 000016
【図１５】
2015152352.tif 000017
【図１６】
2015152352.tif 000018
【図１７】
2015152352.tif 000019